(57)【要約】【課題】絞り口径の設定に連動して閉鎖作動開始位置を変え得るようにしたモータ駆動のデジタルスチルカメラ用シャッタを提供すること。【解決手段】撮影時に、予めモータＭ１によって絞り羽根３を時計方向へ回転させ、撮影光路用開口に開口部３ａを臨ませるとき、絞り羽根３の先端部３ｂがピン１２ａを押し、仲介部材１２を反時計方向へ回転させる。そのため、シャッタ羽根４，５は、シャッタ羽根４がピン１２ｂに押されることによって閉鎖作動開始位置を変え、撮影終了時には、モータＭ２によって、その位置から閉鎖作動を高速で行えるようになっている。【選択図】  図３
2004214847.tif 000002
【特許請求の範囲】
【請求項１】
各々が撮影光路用の開口部を有していて両者の間に少なくとも一つの羽根室を構成している二つの地板と、前記二つの地板間に配置されていて相反する方向へ往復回転することにより前記開口部を開閉する２枚のシャッタ羽根と、固定子コイルの通電方向に対応して所定の角度範囲で往復回転させられる永久磁石回転子がその出力ピンの往復作動によって前記シャッタ羽根に開閉作動を行わせ前記シャッタ羽根の開放位置では該固定子コイルへの通電を断っても該回転子はその磁力を利用して前記シャッタ羽根の開放方向に回転力を付与されているモータと、駆動手段によって往復作動させられ一方への作動によって前記開口部内の周辺領域を覆うことの可能な絞り口径規制手段と、前記絞り口径規制手段によって作動させられ前記シャッタ羽根をその開放位置から前記絞り口径規制手段が覆っている前記開口部内の周辺領域へ前記モータに付与された前記回転力に抗して移動させる仲介部材と、を備えていることを特徴とするデジタルスチルカメラ用シャッタ。
【請求項２】
前記絞り口径規制手段が、前記開口部よりも小さな口径の開口部を少なくとも一つ形成した絞り羽根であることを特徴とする請求項１に記載のデジタルスチルカメラ用シャッタ。
【請求項３】
前記絞り口径規制手段が、前記開口部を囲むように配置されていて前記駆動手段により往復回転させられて前記仲介部材を作動させる絞りリングと、前記開口部の周囲に略等間隔に配置されていて前記絞りリングの回転によって同時に同方向へ回転させられ該絞りリングの回転位置に対応して絞り口径を規制する複数の絞り羽根と、で構成されていることを特徴とする請求項１に記載のデジタルスチルカメラ用シャッタ。
【請求項４】
前記駆動手段が、モータであることを特徴とする請求項１乃至３の何れかに記載のデジタルスチルカメラ用シャッタ。
【発明の詳細な説明】
【０００１】
【発明の属する技術分野】
本発明は、絞り機構を備えたデジタルスチルカメラ用シャッタに関する。
【０００２】
【従来の技術】
カメラ用シャッタには、フォーカルプレンシャッタとレンズシャッタとがあるが、レンズシャッタの場合には、シャッタ機構だけではなく、絞り機構と一緒にユニット化する場合があり、そのように構成されたカメラ用シャッタは、デジタルスチルカメラにも採用されている。また、この種のシャッタがデジタルスチルカメラに採用された場合には、一回の撮影サイクルにおけるシャッタ羽根の作動シーケンスが、銀塩カメラに採用された場合とは異なっており、撮影のための露光は、シャッタ羽根が開放位置にあるときに固体撮像素子に対する電気信号によって開始され、その後、シャッタ羽根が閉鎖し終わることによって終了するようになっていて、モニターを備えたカメラの場合には、シャッタ羽根は、撮影終了後に開放位置へ復帰させられ、次の撮影に備えるようにしているのが一般的である。
【０００３】
ところで、言うまでもないことであるが、撮影時における露光量は、露光時間と撮影光路用開口の大きさ（絞り口径）の組み合わせによって決まる。また、レンズシャッタの場合には、周知のように、絞り機構の最大口径設定状態（又は絞り機構がない状態）における露光面全体の平均露光時間を有効露光時間といっており、それを称呼上の露光時間（シャッタ速度）としている。そのため、シャッタ機構と絞り機構とを備えたカメラの場合には、絞り口径が小さく（絞り値が大きく）なればなるほど、称呼上の露光時間よりも実際の露光時間が長くなってゆき、露光オーバーの傾向が大きくなっていく。このことは、銀塩カメラに採用された場合は勿論であるが、上記のシーケンスで撮影を行うように構成されている限り、デジタルスチルカメラに採用された場合にも同じことがいえる。
【０００４】
図６は、そのことを説明するために、要部だけを示したシャッタ羽根の作動特性図であって、図６（ａ）は、最大絞り口径で撮影した場合を示し、図６（ｂ）は小さい絞り口径（例としてｆ１１）で撮影した場合を示したものである。また、いずれも、横軸を時間とし、縦軸を全開位置から閉鎖位置までのシャッタ羽根の走行距離としており、Ａは撮影のための露光開始時点、Ｂはシャッタ羽根による閉鎖開始時点、Ｃはその終了時点を示したものである。従って、夫々の場合における平均露光時間はＴ１，Ｔ２ということになる。このように、両者を比較すると、絞り口径を小口径（ｆ１１）にした場合において、適正露光量を得るために称呼上の露光時間（Ｔ１）を選択すると、実際の露光時間（Ｔ２）が長くなり、その分だけ露光オーバーになってしまうということが理解できる。
【０００５】
このようにして生じる二つの露光時間Ｔ１，Ｔ２の差を補正するためには、幾つかの方法がある。そこで、典型的な二つの方法を図６（ｂ）を用いて概念的に説明する。その一つは、図６（ｂ）に破線で示したように、シャッタ羽根の閉鎖は、やはり全開位置から行わせるようにするが、その閉鎖開始時点を早くして、Ｂ′時点とすることである。もう一つの方法は、シャッタ羽根を、予め図６（ｂ）における小口径（ｆ１１）に近い位置まで移動させておき、露光を終了させるときには、その移動させておいた位置からＤ時点で作動を開始させ、若干のタイムラグの後、撮影光路の閉鎖が開始されるようにすることである。ところで、これらのようにして、絞り口径に対応してシャッタ羽根の作動開始時点を変え得るようにした構成は、観点を変えてみると、絞りを小口径に設定した場合にも露光時間が長くならず、所定の最高速が得られるようにした構成であるとも言える。そして、そのような観点から、実質的には、上記の後者の補正をも可能にした具体的な構成は、従来からよく知られている（例えば、特許文献１参照）。
【０００６】
【特許文献１】
特許公開２００１−１１７１３５号公報（第５，６頁、図４−６）
【０００７】
【発明が解決しようとする課題】
ところで、特許文献１に記載の構成は、シャッタ羽根と絞り羽根を一つのモータで作動させることを可能にしているため、別々にモータを用意しなくてもよい分だけ、低コスト化と小型化が可能になり、極めて優れたものであると言える。しかしながら、その構成は、モータの回転子を、▲１▼撮影用光路用開口を全開状態にした位置、▲２▼撮影に先立って小口径の絞り制御状態にした位置、▲３▼撮影光路用開口を閉鎖状態にした位置、の３箇所で停止させるようにしているが、４箇所以上で停止させるようにすることは、モータの機能上から考えて難しい。
【０００８】
言い換えれば、特許文献１に記載の構成は、最大口径のほかに、一つの絞り口径だけを選択する構成としては極めて優れたものであるが、二つ以上の絞り口径を選択することができない。また、そのような構成であることから、複数枚の絞り羽根を同時に同方向へ回転させて口径を連続的に変化させ得るようにした絞り機構の採用も難しい。更に、特許文献１に記載の構成は、撮影の終了時にシャッタ羽根を閉鎖させるとき、ばね部材の付勢力に抗して作動させることになるので、シャッタ羽根を高速に作動させたい場合には有利とは言えず、撮影光路用開口が大きい場合（例えば、最大口径の場合）には、露光むらの観点からも好ましいとは言えない。
【０００９】
本発明は、このような問題点を解決するためになされたものであり、その目的とするところは、最大口径より小さな少なくとも一つの絞り口径を選択し得る絞り機構を有していて、最大口径以外の絞り口径が選択されたときには、シャッタ羽根が、その選択された口径に隣接した位置から、特別な負荷部材の影響を受けることなく、モータによって高速に閉鎖作動を行わされることを可能にしたデジタルスチルカメラ用シャッタを提供することである。
【００１０】
【課題を解決するための手段】
上記の目的を達成するために、本発明のデジタルスチルカメラ用シャッタは、各々が撮影光路用の開口部を有していて両者の間に少なくとも一つの羽根室を構成している二つの地板と、前記二つの地板間に配置されていて相反する方向へ往復回転することにより前記開口部を開閉する２枚のシャッタ羽根と、固定子コイルの通電方向に対応して所定の角度範囲で往復回転させられる永久磁石回転子がその出力ピンの往復作動によって前記シャッタ羽根に開閉作動を行わせ前記シャッタ羽根の開放位置では該固定子コイルへの通電を断っても該回転子はその磁力を利用して前記シャッタ羽根の開放方向に回転力を付与されているモータと、駆動手段によって往復作動させられ一方への作動によって前記開口部内の周辺領域を覆うことの可能な絞り口径規制手段と、前記絞り口径規制手段によって作動させられ前記シャッタ羽根をその開放位置から前記絞り口径規制手段が覆っている前記開口部内の周辺領域へ前記モータに付与された前記回転力に抗して移動させる仲介部材と、を備えているようにする。
【００１１】
その場合、前記絞り口径規制手段が、前記開口部よりも小さな口径の開口部を少なくとも一つ形成した絞り羽根であるようにようにしてもよい。また、前記絞り口径規制手段が、前記開口部を囲むように配置されていて前記駆動手段により往復回転させられて前記仲介部材を作動させる絞りリングと、前記開口部の周囲に略等間隔に配置されていて前記絞りリングの回転によって同時に同方向へ回転させられ該絞りリングの回転位置に対応して絞り口径を規制する複数の絞り羽根と、で構成されているようにしてもよい。更に、前記駆動手段が、モータであるようにすると、完全に電動化されたシャッタとなる。
【００１２】
【発明の実施の形態】
本発明の実施の形態を、二つの実施例によって説明する。尚、図１〜図３は第１実施例を説明するためのものであって、図１は、撮影前における最大絞り口径の制御状態を示した平面図であり、図２は、図１の状態から最大絞り口径での撮影が終了した直後の状態を示した平面図であり、図３は、小絞り口径での撮影開始直前の状態を示した平面図である。また、図４及び図５は第２実施例を説明するためのものであって、図４は、撮影前における最大絞り口径の制御状態を示した平面図であり、図５は、最小絞り口径での撮影開始直前の状態を示した平面図である。
【００１３】
［第１実施例］
先ず、第１実施例の構成から説明する。シャッタ地板１は、図示していない適宜な手段によって補助地板２を取り付け、両者の間に羽根室を構成している。また、図１においては、羽根室内の一部を見えるようにするために、補助地板２の右約半分を省略しているが、実際には、シャッタ地板１と補助地板２とは、略同じ平面形状をしており、それらの中央部には、撮影光路用開口（言い換えれば、最大絞り口径の開口）を規制するための円形の開口部１ａ，２ａが形成されている。
【００１４】
羽根室内には、シャッタ地板１側から、絞り羽根３，シャッタ羽根４，シャッタ羽根５の順に配置されている。そのうち、絞り羽根３は、小さい絞り口径を規制するための円形の開口部３ａと、先端部３ｂと、長孔３ｃとを有していて、シャッタ地板１に立設された軸１ｂに回転可能に取り付けられており、図１の状態においては、反時計方向への回転をシャッタ地板１に設けられたストッパ１ｃに阻止されているが、この状態から時計方向へ回転されると、その先端部３ｂが、シャッタ地板１に設けられたストッパ１ｄに当接するようになっている。また、２枚のシャッタ羽根４，５は、長孔４ａ，５ａを有していて、シャッタ地板１に立設された軸１ｅ，１ｆに回転可能に取り付けられている。
【００１５】
シャッタ地板１の背面側、即ち羽根室外の面には、特許文献１にも記載されているムービングマグネット型モータと称されている二つのモータＭ１，Ｍ２が取り付けられている。この種のモータは、周知であるため、図１においては構成を詳細に示していないが、回転子６，７は、径方向に２極に着磁された（図１には、磁極の境界線を一点鎖線で示してある）永久磁石回転子であって、図示していない固定子コイルへの通電方向に対応した方向へ、所定の角度範囲で回転させられるようになっている。また、回転子６，７と一体の出力ピン８，９は、シャッタ地板１に形成された図示していない長孔を貫通しており、羽根室内において、出力ピン８は絞り羽根３の長孔３ｃに嵌合し、出力ピン９は、シャッタ羽根４，５の長孔４ａ，５ａの両方に嵌合している。更に、モータＭ１の合成樹脂製の固定子には４個の磁性体部材（鉄ピン）１０が取り付けられており、モータＭ２の固定子にも４個の磁性体部材（鉄ピン）１１が取り付けられている。
【００１６】
また、シャッタ地板１の羽根室外の面には軸１ｇが立設されており、そこには仲介部材１２が回転可能に取り付けられていて、図示していない比較的弱いばねによって時計方向へ回転するように付勢されている。また、この仲介部材１２は、二つの腕部の先端にピン１２ａ，１２ｂを有していて、それらをシャッタ地板１に形成された長孔１ｈ，１ｉを貫通させており、ピン１２ａは、絞り羽根２の先端部３ｂの作動軌跡内に臨み、ピン１２ｂは、シャッタ羽根４の作動軌跡内に臨むようになっている。そして、図１おいては、ピン１２ｂが長孔１ｉの下端に当接状態となっていて、シャッタ羽根４の反時計方向の回転を阻止している。このほか、シャッタ地板１には、シャッタ羽根５が反時計方向へ回転させられたときに当接するストッパ１ｊが設けられている。
【００１７】
次に、本実施例の作動を説明する。図１は、撮影前における最大絞り口径の制御状態を示している。このとき、電源はオン状態になっており、モニターによって被写体像の観察が可能となっている。また、二つのモータＭ１，Ｍ２の固定子コイルには通電されていない。しかしながら、絞り羽根３とシャッタ羽根４，５は、この状態が維持されるようになっている。即ち、モータＭ１の場合、回転子６のＳ極とＮ極の周面には、各々２個ずつの磁性体部材１０が対向している。そして、当然のことながら、各々の２個の磁性体部材１０のうち、磁極の境界線（一点鎖線）と９０°をなす周面位置に近い方の磁性体部材１０と各磁極との間に作用する吸引力の方が、他方の磁性体部材１０と各磁極との間に作用する吸引力よりも大きい。そのため、回転子６には反時計方向へ回転する力が付与されていて、出力ピン８を介し、絞り羽根３とストッパ１ｃとの接触状態を維持している。他方、モータＭ２の場合にも、同じ理由によって、回転子７が反時計方向へ回転する力を付与されていて、出力ピン９を介し、シャッタ羽根４と仲介部材１２のピン１２ｂとの接触状態を維持している。
【００１８】
撮影をする場合には、このような図１の状態において、レリーズボタン（スイッチ）を押す。そうすると、被写体の測光結果に基づき、最大絞り口径で撮影するか、小さい絞り口径で撮影するかが瞬間的に判断される。そこで、先ず、最大絞り口径で撮影すると判断された場合について説明する。この場合には、モータＭ１の固定子コイルには通電されず、回転子６と絞り羽根３は、図１の状態を維持し続ける。次に、制御回路からの電気信号によって、固体撮像素子に蓄積されていた電荷が放出されると、その時点から撮影のための露光（電荷の蓄積）が開始され、且つ露光時間制御回路によって適正露光時間に対応した所定時間（所謂メカ遅れを考慮して実際の露光時間よりも僅かに短い）のカウントが開始される。そして、その後、そのカウントが終了すると、モータＭ２の固定子コイルに正方向の通電が行われる。
【００１９】
モータＭ２の回転子７は、上記のようにして固定子コイルに正方向の電流が供給されると、図１の状態から時計方向へ回転させられ、出力ピン９によって、シャッタ羽根４を時計方向へ、シャッタ羽根５を反時計方向へ、相対的に且つ同時に回転させ、撮影光路用開口（１ａ，２ａ）を閉鎖させていく。このとき、本実施例の構成によれば、シャッタ羽根４，５には、摺動摩擦は作用するが、ばね等によるその他の機械的な負荷は一切かからない。そのため、そのシャッタ羽根４，５の閉鎖作動は高速で行われる。また、２枚のシャッタ羽根４，５のうち、絞り羽根３側に配置されているシャッタ羽根４は、終始、その一部が絞り羽根３と重なった状態で作動する。そのため、シャッタ羽根４が作動中に絞り羽根３に噛み合ってしまうことがない。しかしながら、噛み合うおそれがあるような構成にした場合は、後記の第２実施例のように、絞り羽根３とシャッタ羽根４との間に中間板を配置しても差し支えない。
【００２０】
このようにして、シャッタ羽根４，５が撮影光路用開口を閉鎖すると、その直後に、シャッタ羽根５がストッパ１ｊに当接することによって、シャッタ羽根４，５の閉鎖作動が停止する。その状態が図２に示されている。そして、この状態において、固体撮像素子に蓄積された撮像情報が記憶装置に転送されると、今度は、固定子コイルに対して逆方向の通電が行われる。そのため、回転子７は、図２の状態からる反時計方向へ回転し、シャッタ羽根４，５に、撮影光路用開口の開放作動を行わせるが、この場合にも、特別な機械的な負荷がかからないので、シャッタ羽根４，５は高速に作動する。そして、撮影光路用開口を開放させた直後に、シャッタ羽根４が仲介部材１２のピン１２ｂに当接することによって、その開放作動が終了する。その後、固定子コイルへの通電を断った状態が、図１に示された撮影待機状態である。
【００２１】
次に、撮影をするに際してレリーズボタン（スイッチ）を押したとき、被写体の測光結果に基づき、小さい絞り口径で撮影すると判断された場合について説明する。この場合には、先ず最初に、モータＭ１の固定子コイルに対して正方向の通電が行われる。そのため、回転子６は、図１の状態から時計方向へ回転し、出力ピン８によって絞り羽根３を時計方向へ回転させる。そのため、絞り羽根３は、開口部３ａを撮影光路用開口に臨ませていく。そして、その作動の最終段階になると、先端部３ｂが仲介部材１２のピン１２ａを押し、図示していないばねの付勢力に抗して仲介部材１２を反時計方向へ回転させる。そのため、シャッタ羽根４，５は、シャッタ羽根４が仲介部材１２のピン１２ｂに押されることによって、回転子７を時計方向へ回転させながら、閉鎖作動を行わされる。そして、この閉鎖作動は、絞り羽根３の先端部３ｂが、ストッパ１ｄに当接することによって停止する。その状態が図３に示されている。
【００２２】
図３から分かるように、回転子７が図１の状態から時計方向へ回転したことによって、二つの磁極と、各々が対向している２個の磁性体部材１１との相対位置関係が若干変わっている。しかしながら、この状態においても未だ、既に説明した理由によって、回転子７には反時計方向へ回転する力が付与されている。そのため、シャッタ羽根４，５は、撮影光路用開口部が絞り羽根３によって覆われている周辺領域には進入しているが、開口部３ａ内には進入してしまうことがない。他方、モータＭ１の固定子コイルには、撮影が終了するまで正方向の通電をし続けても構わないが、その通電を断ったとしても、この状態は維持される。その理由は、図３から分かるように、回転子６が図１の状態から時計方向へ回転したことによって、二つの磁極と、各々が対向している２個の磁性体部材１０との相対位置関係が全く変わってしまっているが、既に説明した理由によって、回転子６には時計方向へ回転する力が付与されているからである。
【００２３】
このようにして図３の状態が得られると、次に、制御回路からの電気信号によって撮影のための露光が開始される。そして、その後、露光時間制御回路による所定時間のカウントが終了すると、モータＭ２の固定子コイルに正方向の通電が行われ、回転子７が時計方向へ回転してシャッタ羽根４，５に閉鎖作動を開始させる。このとき、本実施例の場合には、シャッタ羽根４，５が、図１の状態から閉鎖作動を開始するのではなく、開口部３ａの隣接位置から開始するので、既に説明したように、絞り口径（絞り値）に対応した露光時間での撮影が行われ、露光オーバーになってしまうようなことがない。また、そのような位置から閉鎖作動を開始させるようにしたことによって、絞り口径が小さいときには、大きいときよりも短い露光時間での撮影が可能になって、高輝度の被写体でも適正な露光値での撮影が行えることになる。そして、この閉鎖作動は、特別な負荷を伴なうことなく高速で行われ、シャッタ羽根５がストッパ１ｊに当接することによって終了する。
【００２４】
シャッタ羽根４，５が、このようにして開口部３ａを閉鎖すると、モータＭ１の固定子コイルに対し、今度は逆方向への通電を行うことになる。また、その通電開始時機は、モータＭ１の固定子コイルに対して逆方向への通電を開始する時機まで待っても構わないが、それより早く行うことが好ましい。そして、逆方向への通電が行われると、回転子６が反時計方向へ回転され、出力ピン８によって絞り羽根３を図１の状態に復帰させるが、その回転の初期段階で、仲介部材１２は、図示していないばねの付勢力によって時計方向へ回転し、絞り羽根３より早く図１の状態に復帰する。他方、撮像情報が記憶装置に転送されると、モータＭ２の固定子コイルへも逆方向の通電が行われ、既に説明したようにしてシャッタ羽根４，５の開放作動が行われる。そして、その開放作動が終了した後に、二つのモータＭ１，Ｍ２の固定子コイルに対する通電を断った状態が、図１の状態ということになる。
【００２５】
尚、本実施例の場合には、仲介部材１２が、絞り羽根３の先端部３ｂに押されて反時計方向へ回転させられるように構成されているが、仲介部材１２の形状や配置位置を変えることによって、モータＭ１の出力ピン８に押されて反時計方向へ回転させられるように構成しても差し支えない。また、本実施例の場合には、絞り羽根３をモータＭ１によって駆動しているが、本発明は、このようなムービングマグネット型モータの代わりに、ステップモータや手動で駆動するようにしても差し支えない。そして、そのようにした場合には、絞り羽根３を任意の位置で停止させるようにすることも可能になるから、本実施例における絞り羽根３を大きくして、開口部３ａのほかに口径の異なる開口部を形成し、口径の大きな方の開口部から、撮影光路用開口に順に臨ませていくように構成すると、シャッタ羽根４，５の閉鎖作動開始位置を、それに対応して好適に移動させることが可能になる。
【００２６】
［第２実施例］
次に、図４及び図５を用いて第２実施例を説明する。本実施例は、絞り機構の構成が第１実施例と異なるだけで、シャッタ機構は第１実施例の場合と実質的に同じである。そのため、シャッタ機構の構成と作動については、簡単に説明することにする。そこで、先ず、本実施例の構成を説明する。本実施例の場合は、シャッタ地板２１と補助地板２２の間を中間板２３で仕切り、シャッタ地板２１と中間板２３の間を絞り機構の羽根室とし、補助地板２２と中間板２３との間をシャッタ機構の羽根室にしている。また、図４，図５においては、補助地板２２と中間板２３の一部を除去した状態で示しているが、それらの三つの板部材２１，２２，２３は略同じ平面形状をしており、それらの中央部には、撮影光路用開口を規制するための円形の開口部２１ａ，２２ａ，２３ａが形成されている。
【００２７】
絞り機構の羽根室内には、シャッタ地板２１側に５枚の絞り羽根２４が、開口部２１ａの周囲に略等間隔に配置されており、中間板２３側には絞りリング２５が開口部２１ａを囲むように配置されている。また、５枚の絞り羽根２４は同じ形状をしているため１枚についてだけ符号を付けているが、シャッタ地板２１側の面にはピン２４ａを有していて、絞りリング２５側の面にはピン２４ｂを有している。そして、各絞り羽根２４は、ピン２４ａを、シャッタ地板２１に設けられた孔に回転可能に嵌合させている。また、絞りリング２５は、光軸を中心に回転可能となっていて、各絞り羽根２４のピン２４ｂを嵌合させた五つのカム溝２５ａ（一つにだけに符号を付けてある）を等間隔に形成し、外周部には歯部２５ｂとカム部２５ｃを形成している。
【００２８】
シャッタ地板２１の羽根室側の面には、２段歯車２６が回転可能に取り付けられており、シャッタ地板２１の羽根室外の面には、モータＭ３が取り付けられている。このモータＭ３はステップモータであって、その出力歯車２７は、羽根室内において２段歯車２６に噛合し、その２段歯車２６は、絞りリング２５の歯部２５ｂに噛合している。そのため、モータＭ３の回転は、減速されて絞りリング２５に伝えられ、絞りリング２５が回転すると、５枚の絞り羽根２４が同時に同方向へ回転させられるようになっている。
【００２９】
シャッタ地板２１に立設された軸２１ｂ，２１ｃは、中間板２３に形成されている孔を貫通してシャッタ機構の羽根室に延伸しており、２枚のシャッタ羽根２８，２９は、それらの軸２１ｂ，２１ｃに回転可能に取り付けられている。また、シャッタ地板２１に設けられたストッパ２１ｄも、中間板２３に形成されている孔を貫通してシャッタ機構の羽根室に延伸しており、そこにシャッタ羽根２９が当接するようになっている。シャッタ地板２１の羽根室外の面には、モータＭ４が取り付けられている。このモータＭ４は、第１実施例におけるモータＭ２と同じ構成のムービングマグネット型モータであるため、その回転子３０の外形と出力ピン３１だけを示してある。そして、その出力ピン３１は、シャッタ地板２１と中間板２３に形成された図示していない長孔を貫通し、シャッタ機構の羽根室まで延伸しており、２枚のシャッタ羽根２８，２９に形成された長孔の両方に嵌合している。
【００３０】
また、シャッタ地板２１の羽根室外の面には軸２１ｅが立設されており、そこに仲介部材３２が回転可能に取り付けられていて、図示していないばねによって反時計方向へ回転するように付勢されている。この仲介部材３２は、二つの腕部の先端にピン３２ａ，３２ｂを有しており、一方のピン３２ａは、シャッタ地板２１に形成された長孔２１ｆを貫通して、絞り機構の羽根室内で絞りリング２５のカム部２５ｃに接触し得るようになっている。また、他方のピン３２ｂは、シャッタ地板２１に形成された長孔を貫通し、且つ中間板２３に形成された長孔２３ｂを貫通し、シャッタ機構の羽根室でシャッタ羽根２８の作動軌跡内に臨むようになっている。そして、図４おいては、ピン３２ｂが長孔２３ｂの下端に当接状態となっていて、シャッタ羽根２８の時計方向の回転を阻止している。
【００３１】
次に、本実施例の作動を説明する。図４は、撮影前における最大絞り口径の制御状態を示している。このとき、電源はオン状態になっており、モニターによって被写体像の観察が可能となっている。また、二つのモータＭ３，Ｍ４には通電されていない。しかしながら、モータＭ３はステップモータであるため、絞りシング２５は安定した停止状態を保ち、５枚の絞り羽根２４を、撮影光路用開口を全開（最大絞り開口）にした状態に維持している。また、モータＭ４は、第１実施例におけるモータＭ２と同じ構成をしていて、本実施例の場合には、回転子３０の磁極と、図示していない磁性体部材との位置関係によって、回転子３０に時計方向へ回転する力が付与されている（図２におけるモータＭ２の状態）。そのため、２枚のシャッタ羽根２８，２９は、シャッタ羽根２８の時計方向の回転が仲介部材３２のピン３２ｂに阻止されることにより、この状態が維持されている。
【００３２】
この図４の状態において、レリーズボタン（スイッチ）を押すと、被写体の測光結果により絞り口径が選択されるが、先ずは、最大絞り口径で撮影する場合について説明する。この場合には、モータＭ３には通電されない。そのため、５枚の絞り羽根２４は、図４の状態を維持し続ける。次に、第１実施例の場合と同様に、制御回路からの電気信号によって、撮影のための露光が開始され、所定時間が経過すると、モータＭ４の固定子コイルに逆方向（通電方向についてはモータＭ２の場合に合わせて表現する）の通電が行われる。
【００３３】
それによって、モータＭ４の回転子３０は反時計方向へ回転させられ、出力ピン３１によって、シャッタ羽根２８，２９を相対的に回転させ、撮影光路用開口を閉鎖させていく。このとき、シャッタ羽根２８，２９には、本実施例の場合にも、特別な機械的な負荷がかからないため、その閉鎖作動は高速で行われる。そして、このようなシャッタ羽根２８，２９の閉鎖作動は、撮影光路用開口を閉鎖した直後に、シャッタ羽根２９がストッパ２１ｄに当接することによって、停止させられる。
【００３４】
このような撮影光路用開口の閉鎖状態において、固体撮像素子に蓄積された撮像情報が記憶装置に転送されると、今度は、モータＭ４の固定子コイルに対して正方向の通電が行われる。そのため、回転子３０は時計方向へ回転し、出力ピン３１がシャッタ羽根２８，２９に、撮影光路用開口の開放作動を行わせるが、この場合にも、特別な機械的な負荷がかからないので、シャッタ羽根２８，２９は高速に作動する。そして、撮影光路用開口を開放させた直後に、シャッタ羽根２８が仲介部材３２のピン３２ｂに当接することによって、その開放作動が終了する。その後、固定子コイルへの通電を断つと、図４に示された状態に復帰する。
【００３５】
次に、撮影に際して、最大絞り口径が選択されなかった場合を説明する。ところで、周知のように、本実施例の絞り機構は、絞り口径を連続的に変化させ得る構成をしている。そのため、選択可能な絞り口径は沢山ある。そこで、それらの絞り口径のうち、最小絞り口径が選択された場合についてだけ説明することにする。レリーズボタンが押されると、先ず、最小絞り口径に対応したパルス制御によってモータＭ３の回転子は反時計方向へ回転させられる。そのため、絞りリング２５も、出力歯車２７，２段歯車２６を介して反時計方向へ回転され、５枚の絞り羽根２４を同時に反時計方向へ回転させて、撮影光路用開口を周辺部から覆っていく。
【００３６】
また、この絞りリング２５の回転によって、カム部２５ｃが直ちにピン３２ａに接触し、押し始める。それによって、仲介部材３２は、図示していないばねの付勢力に抗して時計方向へ回転させられ、ピン３２ｂが、シャッタ羽根２８を押し、反時計方向へ回転させる。そのため、シャッタ羽根２８，２９は、出力ピン３１を介して回転子３０を反時計方向へ回転させながら閉鎖作動を行う。そして、モータＭ３の停止した状態が、図５に示された最小絞り口径の設定状態である。このとき、シャッタ羽根２８，２９が安定状態にあることは、第１実施例で説明した通りである。
【００３７】
このようにして図５の状態が得られると、次に、制御回路からの電気信号によって撮影のための露光が開始され、所定時間が経過すると、モータＭ４の固定子コイルに逆方向の通電が行われる。そのため、回転子３０が反時計方向へ回転してシャッタ羽根２８，２９に閉鎖作動を行わせる。このとき、シャッタ羽根２８，２９は、図４の位置から閉鎖作動を開始するのではなく、図５に示されたように、設定された絞り開口の隣接位置から開始するので、既に説明したように、露光オーバーになってしまうことはないし、また、絞り口径が小さいときには、大きいときよりも短い露光時間での撮影が可能になる。そして、この閉鎖作動は、シャッタ羽根２９がストッパ２１ｄに当接することによって終了する。
【００３８】
シャッタ羽根２８，２９が閉鎖すると、モータＭ３が、今度は逆方向へ、所定のパルス制御によって回転され、絞りリング２５を時計方向へ回転させる。そのため、５枚の絞り羽根２４も同時に時計方向へ回転されて、撮影光路用開口から退いていく。また、絞りリング２５の時計方向の回転に伴い、カム部２５ｃが仲介部材３２のピン３２ａから退いていくため、仲介部材３２は、図示していないばねの付勢力によって追従し、反時計方向へ回転する。他方、上記のような絞りリング２５の回転が開始され、且つ撮像情報が記憶装置に転送された後、モータＭ４の固定子コイルへ正方向の通電が行われる。そのため、回転子３０が時計方向へ回転し、出力ピン３１によってシャッタ羽根２８，２９に開放作動を行わせる。そして、その開放作動が終了し、モータＭ４の固定子コイルに対する通電を断った状態が、図４の状態である。
【００３９】
尚、本実施例の場合には、絞りリング２５をモータＭ３によって駆動しているが、本発明は、手動で回転させるようにした場合も含むものである。また、本実施例における絞り機構は、絞り口径を連続的に変化させ得る構成をしているため、最大絞り口径と最小絞り口径との間であれば、どのような絞り口径でも選択できることを前提にしているが、カメラの仕様によっては、本実施例のカム部２５ｃの形状を段カムにし、所定の複数の絞り口径だけを選択し得るようにしてもよい。更に、絞りリング２５には、カム部２５ｃの代わりに突部を形成し、図５の状態になったときだけ、その突部が仲介部材３２のピン３２ａを押すようにし、最大絞り口径のほかには一つの絞り口径しか選択することができないようにしてもよい。
【００４０】
【発明の効果】
以上のように、本発明によれば、最大口径より小さな少なくとも一つの絞り口径を選択し得る絞り機構を備えたデジタルスチルカメラ用シャッタにおいて、最大口径以外の絞り口径が選択されたとき、シャッタ羽根が、その選択された口径に隣接した位置から、特別な負荷部材の影響を受けることなく、モータによって高速に閉鎖作動を行えるようにしたので、小口径での撮影時に露光オーバーにならないようにすることができるし、高輝度な被写体でも小口径による適正露光の撮影が好適に行えるという特徴がある。
【図面の簡単な説明】
【図１】撮影前における最大絞り口径の制御状態を示した第１実施例の平面図である。
【図２】図１の状態から最大絞り口径での撮影が終了した直後の状態を示した平面図である。
【図３】小絞り口径での撮影開始直前の状態を示した第１実施例の平面図である。
【図４】撮影前における最大絞り口径の制御状態を示した第２実施例の平面図である。
【図５】最小絞り口径での撮影開始直前の状態を示した第２実施例の平面図である。
【図６】シャッタ羽根の作動特性図であって、図６（ａ）は、最大絞り口径で撮影した場合を示し、図６（ｂ）は小さい絞り口径（例としてｆ１１）で撮影した場合を示したものである。
【符号の説明】
１，２１                        シャッタ地板
１ａ，２ａ，３ａ，２１ａ，２２ａ，２３ａ        開口部
１ｂ，１ｅ，１ｆ，１ｇ，２１ｂ，２１ｃ，２１ｅ  軸
１ｃ，１ｄ，１ｊ，２１ｄ        ストッパ
１ｈ，１ｉ，３ｃ，４ａ，５ａ，２１ｆ，２３ｂ    長孔
２，２２                        補助地板
３，２４                        絞り羽根
３ｂ                            先端部
４，５，２８，２９              シャッタ羽根
Ｍ１，Ｍ２，Ｍ３，Ｍ４          モータ
６，７，３０                    回転子
８，９，３１                    出力ピン
１０，１１                      磁性体部材
１２，３２                      仲介部材
１２ａ，１２ｂ，２４ａ、２４ｂ、３２ａ、３２ｂ  ピン
２３                            中間板
２５                            絞りリング
２５ａ                          カム溝
２５ｂ                          歯部
２５ｃ                          カム部
２６                            ２段歯車
２７                            出力歯車
【図１】
2004214847.tif 000003
【図２】
2004214847.tif 000004
【図３】
2004214847.tif 000005
【図４】
2004214847.tif 000006
【図５】
2004214847.tif 000007
【図６】
2004214847.tif 000008